【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
Ｘ線を被検体に向けて曝射するＸ線発生手段と、
前記被検体を透過したＸ線を検出するＸ線検出手段と、
前記Ｘ線発生手段及び前記Ｘ線検出手段が配置され、前記被検体の周囲を回転する回転体と、
前記回転体を回転駆動させる駆動手段と、
前記駆動手段に電力を供給する電源と、
前記回転体の減速時において発生する回生電力の電圧を降圧する降圧手段と、
前記降圧された電力を充電する蓄積手段と、
前記蓄積手段からの電力の電圧を昇圧し、前記駆動手段に電力を供給する昇圧手段と、
前記回転体駆動時で前記蓄積手段が所定電圧を下回っている場合には前記電源からの電力供給経路に切り替え、前記回転体駆動時で前記蓄積手段が所定電圧以上の場合には前記蓄積手段からの電力供給経路に切り替え、前記回転体減速時には前記蓄積手段へ充電するための経路への切り替えを行う切換制御手段と、
を備えることを特徴とするＸ線ＣＴ装置。
【請求項２】
前記回転体の回転速度を検出し、回転が止まった後に前記昇圧手段を前記駆動手段の電力供給ラインに接続する制御手段をさらに備えることを特徴とする請求項１に記載のＸ線ＣＴ装置。
【請求項３】
被検体を載置する寝台と、
前記寝台を駆動させる寝台駆動手段と、
Ｘ線を前記被検体に向けて曝射するＸ線発生手段と、
前記被検体を透過したＸ線を検出するＸ線検出手段と、
前記Ｘ線発生手段が配置され、前記被検体の周囲を回転する回転体と、
前記回転体を回転駆動させる駆動手段と、
外部から入力される交流電圧を昇圧する昇圧手段と、
前記回転体を回転駆動させる場合、昇圧された前記交流電圧を直流電圧に変換し前記駆動手段に送り、前記回転体が減速する場合、前記回転体の減速時において発生する回生電力を交流電圧に変換して前記寝台駆動手段及び他の機器の少なくとも一方に電力を供給するＡＣ／ＤＣ変換手段と、
前記ＡＣ／ＤＣ変換手段に送られてきた回生電力の電圧の位相を前記外部から入力される交流電圧の位相と一致させる制御手段と、
を備えることを特徴とするＸ線ＣＴ装置。
【請求項４】
前記制御手段は、前記回転体の回転数を検出し、前記回転体の回転が止まった後に、ＡＣ／ＤＣ変換手段から少なくとも前記寝台駆動手段及び前記画像処理手段への電力の供給を切断することを特徴とする請求項３に記載のＸ線ＣＴ装置。
【請求項５】
電源から電力が供給される段階と、
前記電源からの経路に電源供給経路を切り替える段階と、
前記供給された電力を用いて駆動手段により被検体の周囲で回転体を回転駆動させる段階と、
前記回転体に配置されたＸ線発生手段からＸ線を前記被検体に向けて曝射するＸ線発生段階と、
前記回転体に配置されたＸ線検出手段により前記被検体を透過したＸ線を検出するＸ線検出段階と、
前記回転体の減速時に蓄積手段に充電するための経路に切換える段階と、
前記回転体の減速時において発生する回生電力の電圧を降圧する降圧段階と、
前記降圧された電力を前記蓄積手段に充電する蓄積段階と、
前記回転体が停止した後の次の回転時に、前記蓄積手段からの経路に電力供給経路を切換える段階と、
前記蓄積手段からの電力の電圧を昇圧し、前記駆動手段に電力を供給し前記回転体を駆動させる段階と、
を有することを特徴とするＸ線ＣＴ装置の制御方法。
【請求項６】
外部から入力される交流電圧を昇圧する昇圧段階と、
昇圧された前記交流電圧を直流電圧に変換し回転体を回転駆動させる駆動手段に送る段階と、
前記駆動手段が被検体の周囲で前記回転体を回転駆動させる段階と、
前記回転体に配置されたＸ線発生手段からＸ線を前記被検体に向けて曝射するＸ線発生段階と、
前記回転体に配置されたＸ線検出手段により前記被検体を透過したＸ線を検出するＸ線検出段階と、
前記回転体の減速時において発生する回生電力を交流電圧に変換する段階と、
前記交流電圧に変換された前記回生電力の電圧の位相を前記外部から入力される交流電圧の位相と一致させる制御段階と、
前記位相を一致させた交流電圧を、寝台を駆動させる寝台駆動手段及び他の機器の少なくとも一方に供給する段階と、
を有することを特徴とするＸ線ＣＴ装置の制御方法。
【手続補正２】
【補正対象書類名】明細書
【補正対象項目名】００２３
【補正方法】変更
【補正の内容】
【００２３】
上記目的を達成するために、請求項１に記載のＸ線ＣＴ装置は、Ｘ線を被検体に向けて曝射するＸ線発生手段と、前記被検体を透過したＸ線を検出するＸ線検出手段と、前記Ｘ線発生手段及び前記Ｘ線検出手段が配置され、前記被検体を中心として回転する回転体と、前記回転体を回転駆動させる駆動手段と、前記駆動手段に電力を供給する電源と、前記回転体の減速時において発生する回生電力の電圧を降圧する降圧手段と、前記降圧された電力を充電する蓄積手段と、前記蓄積手段からの電圧を昇圧し、前記駆動手段に電力を供給する昇圧手段と、前記回転体駆動時で前記蓄積手段が所定電圧を下回っている場合には前記電源からの電力供給経路に切り替え、前記回転体駆動時で前記蓄積手段が所定電圧以上の場合には前記蓄積手段からの電力供給経路に切り替え、前記回転体減速時には前記蓄積手段へ充電するための経路への切り替えを行う切換制御手段と、を備えることを特徴とするものである。
【手続補正３】
【補正対象書類名】明細書
【補正対象項目名】００２４
【補正方法】変更
【補正の内容】
【００２４】
請求項３に記載のＸ線ＣＴ装置は、被検体を載置する寝台と、前記寝台を駆動させる寝台駆動手段と、Ｘ線を前記被検体に向けて曝射するＸ線発生手段と、前記被検体を透過したＸ線を検出するＸ線検出手段と、前記Ｘ線発生手段が配置され、前記被検体の周囲を回転する回転体と、前記回転体を回転駆動させる駆動手段と、外部から入力される交流電圧を昇圧する昇圧手段と、前記回転体を回転駆動させる場合、昇圧された前記交流電圧を直流電圧に変換し前記駆動手段に送り、前記回転体が減速する場合、前記回転体の減速時において発生する回生電力を交流電圧に変換して少なくとも前記寝台駆動手段及び他の機器の少なくとも一方に電力を供給するＡＣ／ＤＣ変換手段と、前記ＡＣ／ＤＣ変換手段に送られてきた回生電力の電圧の位相を外部から入力される交流電圧の位相と一致させる制御手段と、を備えることを特徴とするものである。
【手続補正４】
【補正対象書類名】明細書
【補正対象項目名】００２５
【補正方法】変更
【補正の内容】
【００２５】
請求項５に記載のＸ線ＣＴ装置の制御方法は、電源から電力が供給される段階と、前記電源からの経路に電源供給経路を切り替える段階と、前記供給された電力を用いて駆動手段により被検体の周囲で回転体を回転駆動させる段階と、前記回転体に配置されたＸ線発生手段からＸ線を前記被検体に向けて曝射するＸ線発生段階と、前記回転体に配置されたＸ線検出手段により前記被検体を透過したＸ線を検出するＸ線検出段階と、前記回転体の減速時に蓄積手段に充電するための経路に切換える段階と、前記回転体の減速時において発生する回生電力の電圧を降圧する降圧段階と、前記降圧された電力を前記蓄積手段に充電する蓄積段階と、前記回転体が停止した後の次の回転時に、前記蓄積手段からの経路に電力供給経路を切換える段階と、前記蓄積手段からの電力の電圧を昇圧し、前記駆動手段に電力を供給し前記回転体を駆動させる段階と、を有することを特徴とするものである。
【手続補正５】
【補正対象書類名】明細書
【補正対象項目名】００２６
【補正方法】変更
【補正の内容】
【００２６】
請求項６に記載のＸ線ＣＴ装置の制御方法は、外部から入力される交流電圧を昇圧する昇圧段階と、昇圧された前記交流電圧を直流電圧に変換し回転体を回転駆動させる駆動手段に送る段階と、前記駆動手段により被検体の周囲で前記回転体を回転駆動させる段階と、前記回転体に配置されたＸ線発生手段からＸ線を前記被検体に向けて曝射するＸ線発生段階と、前記回転体に配置されたＸ線検出手段により前記被検体を透過したＸ線を検出するＸ線検出段階と、前記回転体の減速時において発生する回生電力を交流電圧に変換する段階と、前記交流電圧に変換された前記回生電力の電圧の位相を前記外部から入力される交流電圧の位相と一致させる制御段階と、前記位相を一致させた交流電圧を、寝台を駆動させる寝台駆動手段及び他の機器の少なくとも一方に供給する段階と、を有することを特徴とするものである。